(57)【特許請求の範囲】
【請求項１】
画像の被表示領域における視環境を把握する視環境把握手段による視環境情報に基づき、前記画像の色を補正して表示する画像表示システムであって、
前記視環境情報における所定の色を所定の色空間における座標値に変換するとともに、所定の基準環境における前記所定の色の前記所定の色空間における座標値と、前記変換した座標値と、に基づき、前記変換した座標値の補色対となる座標値を求める色光情報処理手段と、
求められた前記補色対となる座標値に基づき、前記画像を表示する手段が用いる表示用の入出力特性データを補正する補正手段と、
を含み、
前記補正手段は、前記補色対となる座標値に基づく前記入出力特性データの補正としてガンマ補正を行うことを特徴とする画像表示システム。
【請求項２】
画像の被表示領域における視環境を把握する視環境把握手段による視環境情報に基づき、前記画像の色を補正して表示する画像表示システムであって、
前記視環境情報における所定の色を所定の色空間における座標値に変換するとともに、所定の基準環境における前記所定の色の前記所定の色空間における座標値と、前記変換した座標値と、に基づき、前記変換した座標値の補色対となる座標値を求める色光情報処理手段と、
求められた前記補色対となる座標値に基づき、前記画像を表示する手段が用いる表示用の入出力特性データを補正する補正手段と、
を含み、
前記色光情報処理手段は、所定の階調単位ごとに複数の補色対の座標値を求めることを特徴とする画像表示システム。
【請求項３】
請求項１、２のいずれかにおいて、
前記色光情報処理手段は、前記補色対となる座標値として、前記色空間における前記変換した座標値の座標位置を示す束縛ベクトルの逆ベクトルを求め、
前記補正手段は、求められた前記逆ベクトルを補正値として、前記入出力特性データを補正することを特徴とする画像表示システム。
【請求項４】
請求項２、請求項２に従属する請求項３のいずれかにおいて、
前記補正手段は、前記補色対となる座標値に基づく前記入出力特性データの補正としてガンマ補正を行うことを特徴とする画像表示システム。
【請求項５】
請求項１〜４のいずれかにおいて、
前記視環境把握手段は、少なくとも環境光を計測して前記視環境を把握する手段を含むことを特徴とする画像表示システム。
【請求項６】
視環境に適応してプレゼンテーション画像の色を補正して表示するプロジェクタであって、
前記プレゼンテーション画像の被表示領域における視環境を把握し、視環境情報を生成する視環境把握手段と、
前記視環境情報を所定の色空間における座標値に変換するとともに、所定の基準環境における前記所定の色の前記所定の色空間における座標値と、前記変換した座標値と、に基づき、前記変換した座標値の補色対となる座標値を求める色光情報処理手段と、
求められた前記補色対となる座標値に基づき、前記画像を表示する手段が用いる表示用の入出力特性データを補正する補正手段と、
補正された入出力特性データに基づき、前記プレゼンテーション画像を表示する表示手段と、
を含み、
前記補正手段は、前記補色対となる座標値に基づく前記入出力特性データの補正としてガンマ補正を行うことを特徴とするプロジェクタ。
【請求項７】
視環境に適応してプレゼンテーション画像の色を補正して表示するプロジェクタであって、
前記プレゼンテーション画像の被表示領域における視環境を把握し、視環境情報を生成する視環境把握手段と、
前記視環境情報を所定の色空間における座標値に変換するとともに、所定の基準環境における前記所定の色の前記所定の色空間における座標値と、前記変換した座標値と、に基づき、前記変換した座標値の補色対となる座標値を求める色光情報処理手段と、
求められた前記補色対となる座標値に基づき、前記画像を表示する手段が用いる表示用の入出力特性データを補正する補正手段と、
補正された入出力特性データに基づき、前記プレゼンテーション画像を表示する表示手段と、
を含み、
前記色光情報処理手段は、所定の階調単位ごとに複数の補色対の座標値を求めることを特徴とするプロジェクタ。
【請求項８】
請求項６、７のいずれかにおいて、
前記被表示領域はスクリーン上の領域であり、
前記表示手段は、前記スクリーンへ向け前記プレゼンテーション画像を投写する投写手段を含むことを特徴とするプロジェクタ。
【請求項９】
請求項８において、
前記視環境把握手段は、前記スクリーンの種別を反映した視環境を把握することを特徴とするプロジェクタ。
【請求項１０】
請求項６〜９のいずれかにおいて、
前記視環境把握手段は、少なくとも環境光を計測して前記視環境を把握する手段を含むことを特徴とするプロジェクタ。
【請求項１１】
視環境に適応して画像の色を補正する画像処理方法であって、
視環境を把握する工程と、
把握された視環境を所定の色空間における座標値に変換する工程と、
所定の基準環境における前記所定の色の前記所定の色空間における座標値と、前記変換された座標値と、に基づき、前記変換された座標値の補色対となる座標値を求める座標値演算工程と、
求められた前記補色対となる座標値に基づき、表示用の入出力特性データを補正する補正工程と、
補正された入出力特性データに基づき、画像を表示する工程と、
を含み、
前記補正工程は、前記補色対となる座標値に基づく前記入出力特性データの補正としてガンマ補正を行うことを特徴とする画像処理方法。
【請求項１２】
視環境に適応して画像の色を補正する画像処理方法であって、
視環境を把握する工程と、
把握された視環境を所定の色空間における座標値に変換する工程と、
所定の基準環境における前記所定の色の前記所定の色空間における座標値と、前記変換された座標値と、に基づき、前記変換された座標値の補色対となる座標値を求める座標値演算工程と、
求められた前記補色対となる座標値に基づき、表示用の入出力特性データを補正する補正工程と、
補正された入出力特性データに基づき、画像を表示する工程と、
を含み、
前記座標値演算工程は、所定の階調単位ごとに複数の補色対の座標値を求める工程を含むことを特徴とする画像処理方法。
【請求項１３】
視環境に適応してプレゼンテーション画像の色を補正して表示するためのプログラムを記憶したコンピュータ読み取り可能な情報記憶媒体であって、
コンピュータを、
前記プレゼンテーション画像の被表示領域における視環境を把握し、視環境情報を生成する視環境把握手段と、
前記視環境情報を所定の色空間における座標値に変換するとともに、所定の基準環境における前記所定の色の前記所定の色空間における座標値と、前記変換した座標値と、に基づき、前記変換した座標値の補色対となる座標値を求める色光情報処理手段と、
求められた前記補色対となる座標値に基づき、前記画像を表示する手段が用いる表示用の入出力特性データを補正する補正手段と、
補正された入出力特性データに基づき、前記プレゼンテーション画像を表示する表示手段に表示させる手段として機能させるためのプログラムを記憶し、
前記補正手段は、前記補色対となる座標値に基づく前記入出力特性データの補正としてガンマ補正を行うことを特徴とする情報記憶媒体。
【請求項１４】
視環境に適応してプレゼンテーション画像の色を補正して表示するためのプログラムを記憶したコンピュータ読み取り可能な情報記憶媒体であって、
コンピュータを、
前記プレゼンテーション画像の被表示領域における視環境を把握し、視環境情報を生成する視環境把握手段と、
前記視環境情報を所定の色空間における座標値に変換するとともに、所定の基準環境における前記所定の色の前記所定の色空間における座標値と、前記変換した座標値と、に基づき、前記変換した座標値の補色対となる座標値を求める色光情報処理手段と、
求められた前記補色対となる座標値に基づき、前記画像を表示する手段が用いる表示用の入出力特性データを補正する補正手段と、
補正された入出力特性データに基づき、前記プレゼンテーション画像を表示する表示手段に表示させる手段として機能させるためのプログラムを記憶し、
前記色光情報処理手段は、所定の階調単位ごとに複数の補色対の座標値を求めることを特徴とする情報記憶媒体。
【発明の詳細な説明】
【０００１】
【発明の属する技術分野】
本発明は、画像表示システム、プロジェクタ、画像処理方法および情報記憶媒体に関する。
【０００２】
【背景技術および発明が解決しようとする課題】
複数の異なる場所でプレゼンテーションやミーティングを行う場合、制作者の意図した画像をどの場所においても再現できることが効果的なプレゼンテーション等を行う上で重要である。
【０００３】
このような画像の見えを調整する考え方として、デバイスの入出力特性を管理して色を再現するカラーマネジメントという考え方があるが、その具体的な手法については明確になっていない。
【０００４】
特に、スクリーンとプロジェクタを用いて画像を投写表示する場合には、環境光だけでなく、スクリーンの種別を考慮しなければ適切な色の再現を行うことは困難である。
【０００５】
また、近年、プロジェクタは高精細化が進み、色の再現性も重要になってきている。
【０００６】
さらに、近年、プロジェクタは小型化が進み、持ち運びも容易になっている。このため、例えば、客先においてプレゼンテーションを行う場合もあり得るが、客先の環境に合わせて色を事前に調整することは困難であり、客先で色を手動で調整するには時間がかかりすぎる。
【０００７】
本発明は、上記の課題に鑑みなされたものであり、その目的は、複数の異なる場所において、ほぼ同一の色を短時間で再現できる画像表示システム、プロジェクタ、画像処理方法および情報記憶媒体を提供することにある。
【０００８】
【課題を解決するための手段】
上記課題を解決するため、本発明に係る画像表示システムは、画像の被表示領域における視環境を把握する視環境把握手段による視環境情報に基づき、前記画像の色を補正して表示する画像表示システムであって、
前記視環境情報における所定の色を所定の色空間における座標値に変換するとともに、所定の基準環境における前記所定の色の前記所定の色空間における座標値と、前記変換した座標値と、に基づき、前記変換した座標値の補色対となる座標値を求める色光情報処理手段と、
求められた前記補色対となる座標値に基づき、前記画像を表示する手段が用いる表示用の入出力特性データを補正する補正手段と、
を含むことを特徴とする。
【０００９】
本発明によれば、環境情報を反映した座標値と補色対となる座標値に基づき、画像表示手段が用いる表示用の入出力特性データを補正することにより、表示時の環境に適応して画像を表示することができる。これにより、表示環境の差を吸収して適用される環境によらずに同一の画像を表示することができる。したがって、複数の異なる場所において、ほぼ同一の色を短時間で再現することができる。
【００１０】
特に、補色対となる座標値に基づき入出力特性データを各階調ごとに補正することにより、理想的な色光に影響を与える環境光の影響を除去し、理想的なホワイトバランスを得ることができる。
【００１１】
なお、ここで、視環境としては、例えば、環境光（照明光、自然光等）や、被表示対象（ディスプレイ、壁面、スクリーン等）等が該当する。
【００１２】
また、所定の色としては、白（グレー）であることが好ましいが、白に限定されるものではない。
【００１３】
また、色空間としては、例えば、Ｌ＊ａ＊ｂ＊（Ｌａｂともいう。以下「Ｌａｂ」と簡略表記する。）空間、Ｌ＊ｕ＊ｖ＊空間、Ｌ＊Ｃ＊ｈ空間、Ｕ＊Ｖ＊Ｗ＊空間、ｘｙＹ（Ｙｘｙともいう。）空間等が該当する。
【００１４】
また、補色対とは、互いの色を混合するとグレーになる色の対のことである。
【００１５】
さらに、前記視環境把握手段としては、例えば、被表示領域の輝度値を計測する輝度センサー、被表示領域のＲＧＢ値やＸＹＺ値を計測する色光センサー、被表示領域の色度値を計測する色度センサー等のうちの１つまたはこれらの組み合わせを適用できる。
【００１６】
また、前記色光情報処理手段は、前記補色対となる座標値として、前記色空間における前記変換した座標値の座標位置を示す束縛ベクトルの逆ベクトルを求め、
前記補正手段は、求められた前記逆ベクトルを補正値として、前記入出力特性データを補正することが好ましい。
【００１７】
これによれば、数量的に前記入出力特性データを補正することができるため、高速に補正することが可能となる。また、特に、前記入出力特性データを所定の階調単位ごとに補正することにより、前記入出力特性データを用いて各階調単位ごとの色光情報を一意的に定めることができる。
【００１８】
なお、ここで、束縛ベクトルは、前記色空間内の所定の色平面におけるグレーとなる点における束縛ベクトルである。また、ベクトルという用語は、大きさと向きを持つベクトルの意味として用いている。
【００１９】
また、前記補正手段は、前記補色対となる座標値に基づく前記入出力特性データの補正としてガンマ補正を行ってもよい。
【００２０】
これによれば、ガンマ補正を行うことにより、正確な色再現が行える。
【００２１】
また、前記色光情報処理手段は、所定の階調単位ごとに複数の補色対の座標値を求めることが好ましい。
【００２２】
これによれば、階調単位ごとに複数の補色対の座標値を求めることにより、各階調の色を再現する場合でも、再現しようとする階調に適合した補正が行える。したがって、再現しようとする階調によらずに適切な画像表示を行うことができる。
【００２３】
また、前記視環境把握手段は、少なくとも環境光を計測して前記視環境を把握する手段を含むことが好ましい。
【００２４】
これによれば、環境光を計測して視環境を把握することができる。視環境においては、環境光は画像の見えに大きな影響を与える。画像の見えの主要な要因である環境光を計測することにより、視環境を適切に把握することができる。
【００２５】
また、本発明に係るプロジェクタは、視環境に適応してプレゼンテーション画像の色を補正して表示するプロジェクタであって、
前記プレゼンテーション画像の被表示領域における視環境を把握し、視環境情報を生成する視環境把握手段と、
前記視環境情報を所定の色空間における座標値に変換するとともに、所定の基準環境における前記所定の色の前記所定の色空間における座標値と、前記変換した座標値と、に基づき、前記変換した座標値の補色対となる座標値を求める色光情報処理手段と、
求められた前記補色対となる座標値に基づき、前記画像を表示する手段が用いる表示用の入出力特性データを補正する補正手段と、
補正された入出力特性データに基づき、前記プレゼンテーション画像を表示する表示手段と、
を含むことを特徴とする。
【００２６】
また、本発明に係る情報記憶媒体は、視環境に適応してプレゼンテーション画像の色を補正して表示するためのプログラムを記憶したコンピュータ読み取り可能な情報記憶媒体であって、
コンピュータを、
前記プレゼンテーション画像の被表示領域における視環境を把握し、視環境情報を生成する視環境把握手段と、
前記視環境情報を所定の色空間における座標値に変換するとともに、所定の基準環境における前記所定の色の前記所定の色空間における座標値と、前記変換した座標値と、に基づき、前記変換した座標値の補色対となる座標値を求める色光情報処理手段と、
求められた前記補色対となる座標値に基づき、前記画像を表示する手段が用いる表示用の入出力特性データを補正する補正手段と、
補正された入出力特性データに基づき、前記プレゼンテーション画像を表示する表示手段に表示させる手段として機能させるためのプログラムを記憶したことを特徴とする。
【００２８】
本発明によれば、環境情報を反映した座標値と補色対となる座標値に基づき、画像表示手段が用いる表示用の入出力特性データを補正することにより、表示時の環境に適応して画像を表示することができる。これにより、表示環境の差を吸収して適用される環境によれらずに同一の画像を表示することができる。したがって、複数の異なる場所において、ほぼ同一の色を短時間で再現することができる。
【００２９】
なお、ここで、視環境としては、例えば、環境光（照明光、自然光等）や、被表示対象（ディスプレイ、壁面、スクリーン等）等が該当する。
【００３０】
また、所定の色としては、白（グレー）であることが好ましいが、白に限定されるものではない。
【００３１】
また、色空間としては、例えば、Ｌ＊ａ＊ｂ＊（Ｌａｂともいう。）空間、Ｌ＊ｕ＊ｖ＊空間、Ｌ＊Ｃ＊ｈ空間、Ｕ＊Ｖ＊Ｗ＊空間、ｘｙＹ（Ｙｘｙともいう。）空間等が該当する。
【００３２】
また、補色対とは、互いの色を混合するとグレーになる色の対のことである。
【００３３】
また、前記補正手段は、前記補色対となる座標値に基づく前記入出力特性データの補正としてガンマ補正を行うことが好ましい。
【００３４】
これによれば、ガンマ補正を行うことにより、正確な色再現が行える。
【００３５】
また、前記被表示領域はスクリーン上の領域であり、
前記表示手段は、前記スクリーンへ向け前記プレゼンテーション画像を投写する投写手段を含むことが好ましい。
【００３６】
これによれば、スクリーンという視環境に影響を与えやすい被表示領域の視環境を把握し、ガンマ補正等を行ってプレゼンテーション画像を投写表示することにより、視環境によらずにほぼ同一の色を再現できる。
【００３７】
なお、ここで、スクリーンは、反射型のものであっても、透過型のものであってもよい。
【００３８】
また、前記プレゼンテーションシステムにおいて、前記視環境把握手段は、前記スクリーンの種別を反映した視環境を把握することが好ましい。
【００３９】
また、前記情報記憶媒体および前記プログラムにおいて、前記視環境把握手段は、少なくともスクリーンの種別を反映した視環境を把握する手段を含むことが好ましい。
【００４０】
これによれば、スクリーンの種別を反映した視環境を把握し、その把握結果に基づき、ガンマ補正等を行うことにより、スクリーンの種別の違いを吸収することができる。これにより、スクリーンの種別によらずにほぼ同一の色を再現できる。
【００４１】
特に、従来のカラーマネジメントシステムを内蔵したＯＳ等を用いるＰＣ等では、ＰＣに接続されたディスプレイの種別を考慮したものにすぎない。また、環境光を考慮して色の補正を行う提案もなされているが、画像の被表示領域となるスクリーンを考慮したものは皆無である。
【００４２】
本発明によれば、スクリーンの種別を反映した視環境を把握して色の補正を行うことにより、適切に視環境を反映した画像を生成して表示することができる。
【００４３】
また、前記プレゼンテーションシステムにおいて、前記視環境把握手段は、少なくとも環境光を計測して前記視環境を把握する手段を含むことが好ましい。
【００４４】
また、前記情報記憶媒体および前記プログラムにおいて、前記視環境把握手段は、少なくとも環境光を反映した視環境を把握することが好ましい。
【００４５】
これによれば、環境光の計測等を行って視環境を把握することができる。視環境においては、環境光は画像の見えに大きな影響を与える。画像の見えの主要な要因である環境光を計測することにより、視環境を適切に把握することができる。
【００４６】
また、本発明に係る環境適応型の画像処理方法は、視環境に適応して画像の色を補正する画像処理方法であって、
視環境を把握する工程と、
把握された視環境を所定の色空間における座標値に変換する工程と、
所定の基準環境における前記所定の色の前記所定の色空間における座標値と、前記変換された座標値と、に基づき、前記変換された座標値の補色対となる座標値を求める座標値演算工程と、
求められた前記補色対となる座標値に基づき、表示用の入出力特性データを補正する補正工程と、
補正された入出力特性データに基づき、画像を表示する工程と、
を含むことを特徴とする。
【００４７】
本発明によれば、環境情報を反映した座標値と補色対となる座標値に基づき、画像表示手段が用いる表示用の入出力特性データを補正することにより、表示時の環境に適応して画像を表示することができる。これにより、表示環境の差を吸収して適用される環境によらずに同一の画像を表示することができる。したがって、複数の異なる場所において、ほぼ同一の色を短時間で再現することができる。
【００４８】
なお、ここで、視環境としては、例えば、環境光（照明光、自然光等）や、被表示対象（ディスプレイ、壁面、スクリーン等）等が該当する。
【００４９】
また、所定の色としては、白（グレー）であることが好ましいが、白に限定されるものではない。
【００５０】
また、色空間としては、例えば、Ｌａｂ空間、Ｌ＊ｕ＊ｖ＊空間、Ｌ＊Ｃ＊ｈ空間、Ｕ＊Ｖ＊Ｗ＊空間、ｘｙＹ（Ｙｘｙともいう。）空間等が該当する。
【００５１】
また、補色対とは、互いの色を混合するとグレーになる色の対のことである。
【００５２】
また、前記座標値演算工程は、前記補色対となる座標値として、前記色空間における前記変換された座標値の座標位置を示す束縛ベクトルの逆ベクトルを求める工程を含み、
前記補正工程は、求められた前記逆ベクトルを補正値として、前記入出力特性データを補正する工程を含むことが好ましい。
【００５３】
これによれば、数量的に前記入出力特性データを補正することができるため、高速に補正することが可能となる。
【００５４】
なお、ここで、束縛ベクトルは、前記色空間内の所定の色平面におけるグレーとなる点における束縛ベクトルである。また、ベクトルという用語は、大きさと向きを持つベクトルの意味として用いている。
【００５５】
また、前記座標値演算工程は、前記補色対となる座標値として、前記色空間における前記変換された座標値の座標位置と所定の原点との距離に基づき、前記補色対となる座標値の座標位置となる外分点の座標位置を求める工程を含み、
前記補正工程は、求められた前記外分点の座標位置を補正値として、前記入出力特性データを補正する工程を含むことが好ましい。
【００５６】
これによれば、数量的に前記入出力特性データを補正することができるため、高速に補正することが可能となる。
【００５７】
また、前記補正工程は、前記補色対となる座標値に基づく前記入出力特性データの補正としてガンマ補正を行うことが好ましい。
【００５８】
これによれば、ガンマ補正を行うことにより、正確な色再現が行える。
【００５９】
また、前記補正工程は、前記補色対となる座標値に基づく前記入出力特性データの補正として色再現範囲の補正を行うことが好ましい。
【００６０】
これによれば、色再現範囲の補正を行うことにより、正確な色再現が行える。
【００６１】
なお、色再現範囲としては、具体的には、例えば、ＲＧＢ色三角形、ＣＭＹ色三角形、ＣＭＹＫ色四角形等が該当する。
【００６２】
また、前記座標値演算工程は、所定の階調単位ごとに複数の補色対の座標値を求める工程を含むことが好ましい。
【００６３】
これによれば、階調単位ごとに複数の補色対の座標値を求めることにより、各階調の色を再現する場合でも、再現しようとする階調に適合した補正が行える。したがって、再現しようとする階調によらずに適切な画像表示を行うことができる。
【００６４】
【発明の実施の形態】
以下、本発明を、液晶プロジェクタを用いたプレゼンテーションシステムに適用した場合を例に採り、図面を参照しつつ説明する。
【００６５】
（システム全体の説明）
図１は、本実施の形態の一例に係るレーザーポインタ５０を用いたプレゼンテーションシステムの概略説明図である。
【００６６】
スクリーン１０のほぼ正面に設けられたプロジェクタ２０から、所定のプレゼンテーション用の画像が投写される。プレゼンター３０は、スクリーン１０上の被表示領域である画像表示領域１２の画像の所望の位置をレーザーポインタ５０から投射したスポット光７０で指し示しながら、第三者に対するプレゼンテーションを行なう。
【００６７】
このようなプレゼンテーションを行う場合、スクリーン１０の種別や、環境光８０によって画像表示領域１２の画像の見え方は大きく異なってしまう。例えば、同じ白を表示する場合であっても、スクリーン１０の種別によっては、黄色がかった白に見えたり、青色がかった白に見えたりする。また、同じ白を表示する場合であっても、環境光８０が異なれば、明るい白に見えたり、暗い白に見えたりする。
【００６８】
また、近年、プロジェクタ２０は小型化が進み、持ち運びも容易になっている。このため、例えば、客先においてプレゼンテーションを行う場合もあり得るが、客先の環境に合わせて色を事前に調整することは困難であり、客先で色を手動で調整するには時間がかかりすぎる。
【００６９】
図２は、モバイル型プロジェクタを用いたプレゼンテーションシステムの概略説明図である。
【００７０】
例えば、図２に示すように、会議室５２０では、蛍光灯による環境光８２がある視環境で、プロジェクタ２０から専用のスクリーン１４に画像を投写している。このようなテスト環境で画像の見え方を調整し、会議室５２０から本番環境のプレゼンテーション会場５３０に移動し、プロジェクタ２０から画像を投写することを想定する。
【００７１】
プレゼンテーション会場５３０では、会議室５２０と異なり、蛍光灯と外光による環境光８４があり、スクリーン１４とは材質の異なるスクリーン１６を用いて画像が表示される。
【００７２】
このため、会議室５２０で画像を調整したとしても、そのままではプレゼンテーション会場５３０では画像の見え方が異なってしまい、本来得られるはずのプレゼンテーション効果が得られない場合もある。
【００７３】
図３は、従来のプロジェクタ内のプロジェクタ画像処理部１００の機能ブロック図である。
【００７４】
従来のプロジェクタでは、ＰＣ等から送られるアナログ形式のＲＧＢ信号を構成するＲ１信号、Ｇ１信号、Ｂ１信号をＡ／Ｄ変換部１１０に入力し、デジタル形式のＲ２信号、Ｇ２信号、Ｂ２信号をプロジェクタ画像処理部１００で色変換を行っている。
【００７５】
そして、色変換されたＲ３信号、Ｇ３信号、Ｂ３信号をＤ／Ａ変換部１８０に入力し、アナログ変換されたＲ４信号、Ｇ４信号、Ｂ４信号をＬ／Ｖ（ライトバルブ）駆動部１９０に入力し、液晶ライトバルブを駆動して画像の投写表示を行っている。
【００７６】
また、ＣＰＵ２００によって制御されるプロジェクタ画像処理部１００は、プロジェクタ色変換部１２０と、プロファイル管理部１３０とを含んで構成されている。
【００７７】
プロジェクタ色変換部１２０は、Ａ／Ｄ変換部１１０からのＲＧＢの各デジタル信号（Ｒ２信号、Ｇ２信号、Ｂ２信号）を、プロファイル管理部１３０で管理されているプロジェクタの入出力用プロファイルに基づき、プロジェクタ出力用のＲＧＢデジタル信号（Ｒ３信号、Ｇ３信号、Ｂ３信号）に変換する。なお、ここで、プロファイルとは、特性データという意味である。
【００７８】
このように、従来のプロジェクタでは、プロジェクタ固有の入出力特性を示す入出力用プロファイルに基づき、色の変換を行っているだけであり、画像の投写表示される視環境は考慮されていない。
【００７９】
しかし、上述したように、視環境を考慮しなければ、色の見え方を統一することは困難である。色の見え方は、光、対象の光の反射または透過、視覚の３つの要因で決定する。
【００８０】
本実施の形態では、光および対象の光の反射または透過を反映した視環境を把握することにより、適用される環境によらずに同一の色を再現できる画像表示システムを実現している。
【００８１】
具体的には、図１に示すように、視環境を把握する視環境把握手段として機能する色光センサー６０を設け、色光センサー６０からの視環境情報をプロジェクタ２０に入力する。色光センサー６０は、具体的には、スクリーン１０内の画像表示領域１２の色光情報（より具体的にはＲＧＢまたはＸＹＺの３刺激値）を計測する。
【００８２】
プロジェクタ２０には、前記視環境情報を所定の色空間における座標値に変換するとともに、所定の基準環境における前記所定の色の前記所定の色空間における座標値と、前記変換した座標値と、に基づき、前記変換した座標値の補色対となる座標値を求める色光情報処理手段が設けられている。
【００８３】
また、プロジェクタ２０には、求められた前記補色対となる座標値に基づき、前記画像を表示する手段が用いる表示用の入出力特性データを補正する補正手段が設けられている。
【００８４】
次に、これらの色光情報処理手段や補正手段を含むプロジェクタ２０のプロジェクタ画像処理部１００の機能ブロックについて説明する。
【００８５】
図４は、本実施形態の一例に係るプロジェクタ２０内のプロジェクタ画像処理部１００の機能ブロック図である。
【００８６】
プロジェクタ２０では、ＰＣ等から送られるアナログ形式のＲＧＢ信号を構成するＲ１信号、Ｇ１信号、Ｂ１信号をＡ／Ｄ変換部１１０に入力し、デジタル形式のＲ２信号、Ｇ２信号、Ｂ２信号をプロジェクタ画像処理部１００で色変換を行っている。
【００８７】
そして、色変換されたＲ３信号、Ｇ３信号、Ｂ３信号をＤ／Ａ変換部１８０に入力し、アナログ変換されたＲ４信号、Ｇ４信号、Ｂ４信号をＬ／Ｖ（ライトバルブ）駆動部１９０に入力し、液晶ライトバルブを駆動して画像の投写表示を行っている。
【００８８】
ここまでは、従来のプロジェクタと構成の差異はない。しかし、本実施の形態に係るプロジェクタ２０のプロジェクタ画像処理部１００は、色信号変換部１６０と、色信号逆変換部１７０と、カラーマネジメント部１５０と、プロジェクタ色変換部１２０とを含んで構成されている。
【００８９】
色信号変換部１６０は、Ａ／Ｄ変換部１１０からのＲＧＢデジタル信号（Ｒ２信号、Ｇ２信号、Ｂ２信号）をＸＹＺ値（Ｘ１、Ｙ１、Ｚ１）に変換する。なお、ＲＧＢ信号はプロジェクタ２０等の入出力デバイスによって変化するデバイス依存型の色であり、ＸＹＺ値は、デバイスによらずに同一であるデバイス非依存型の色である。
【００９０】
なお、ＲＧＢデジタル信号からＸＹＺ値への具体的な変換手法としては、例えば、３×３行列（マトリクス）を用いたマトリクス変換の手法を採用することができる。
【００９１】
色信号変換部１６０は、変換したＸＹＺ値（Ｘ１、Ｙ１、Ｚ１）をカラーマネジメント部１５０に出力する。
【００９２】
カラーマネジメント部１５０は、色信号変換部１６０から入力されたＸＹＺ値（Ｘ１、Ｙ１、Ｚ１）を、視環境把握手段である色光センサー６０の測定値に基づき、視環境を反映したＸＹＺ値（Ｘ２、Ｙ２、Ｚ２）に変換する。
【００９３】
また、カラーマネジメント部１５０は、色光情報処理部１４０と、上述したプロジェクタ２０用の入出力用プロファイルを管理するプロファイル管理部１３０とを含んで構成されている。
【００９４】
色光情報処理部１４０は、実際の視環境情報を反映した白色をＬａｂ空間における座標値に変換し、所定の基準環境における白色のＬａｂ空間における座標値と、前記変換した座標値と、に基づき、前記変換した座標値の補色対となる座標値を求める。なお、補色対とは、互いの色を混合するとグレーになる色の対のことである。
【００９５】
また、色光情報処理部１４０は、色信号変換部１６０から入力されたＸＹＺ値（Ｘ１、Ｙ１、Ｚ１）を、色光センサー６０の測定値に基づき、視環境を反映したＸＹＺ値（Ｘ２、Ｙ２、Ｚ２）に変換する。
【００９６】
プロファイル管理部１３０は、上述した補正手段として機能し、プロジェクタ２０のＲＧＢ信号の各入出力用プロファイルを作成する。また、プロファイル管理部１３０は、作成したＲＧＢ信号の各入出力用プロファイルにより、プロジェクタ２０のＲＧＢ入出力特性を管理する。
【００９７】
また、色信号逆変換部１７０は、色光情報処理部１４０からのＸＹＺ値（Ｘ２、Ｙ２、Ｚ２）を、上述した色信号変換部１６０のマトリクスの逆マトリクスを用いてＲＧＢの各デジタル信号（Ｒ５信号、Ｇ５信号、Ｂ５信号）にマトリクス逆変換を行う。
【００９８】
また、プロジェクタ色変換部１２０は、色信号逆変換部１７０からのＲＧＢの各デジタル信号（Ｒ５信号、Ｇ５信号、Ｂ５信号）を、プロファイル管理部１３０が管理しているプロジェクタプロファイルとやり取りしながら、プロジェクタ出力のＲＧＢデジタル信号（Ｒ３信号、Ｇ３信号、Ｂ３信号）に変換する。
【００９９】
また、ＣＰＵ２００によって制御されるプロジェクタ画像処理部１００は、プロジェクタ色変換部１２０と、プロファイル管理部１３０とを含んで構成されている。
【０１００】
プロジェクタ色変換部１２０は、Ａ／Ｄ変換部１１０からのＲＧＢの各デジタル信号（Ｒ６信号、Ｇ６信号、Ｂ６信号）を、プロファイル管理部１３０で管理されているＲＧＢ信号の各入出力用プロファイルに基づき、プロジェクタ出力用のＲＧＢデジタル信号（Ｒ３信号、Ｇ３信号、Ｂ３信号）に変換する。
【０１０１】
プロジェクタ色変換部１２０から出力されたプロジェクタ出力用のＲＧＢデジタル信号は、Ｄ／Ａ変換部１８０によってＲＧＢアナログ信号（Ｒ４信号、Ｇ４信号、Ｂ４信号）に変換され、Ｌ／Ｖ駆動部１９０によって当該ＲＧＢアナログ信号に基づき液晶ライトバルブが駆動されて画像が投写表示される。
【０１０２】
このように、本実施の形態では、視環境を考慮して画像を投写表示している。
【０１０３】
これにより、環境情報を反映した座標値と補色対となる座標値に基づき、画像表示手段が用いる表示用の入出力特性データを補正することにより、表示時の環境に適応して画像を表示することができる。これにより、表示環境の差を吸収して適用される環境によらずに同一の画像を表示することができる。したがって、複数の異なる場所において、ほぼ同一の色を短時間で再現することができる。
【０１０４】
次に、実際のプレゼンテーションを行う場合を例に採り、上述したカラーマネジメント部１５０等がどのように動作するかフローチャートを用いて説明する。
【０１０５】
図５は、本実施形態の一例に係るプレゼンテーション全体の流れを示すフローチャートである。
【０１０６】
プロジェクタ２０を用いてプレゼンテーションを行う場合、プロファイル管理部１３０による入出力用プロファイルの作成等の前処理が行われる（ステップＳ２）。
【０１０７】
そして、実際にプロジェクタ２０からスクリーン１０へのキャリブレーション用画像の投写等によるキャリブレーション（校正）が行われ、視環境に対応した調整が行われる（ステップＳ４）。
【０１０８】
キャリブレーション終了後、プレゼンテーションが行われる（ステップＳ６）。
【０１０９】
より具体的には、画像制作環境等の基準環境において、プロジェクタ２０からスクリーン１０へ向け白色画像を投写し、白色画像の表示された画像表示領域１２の色光情報（正確にはＲＧＢまたはＸＹＺの３刺激値）を、視環境把握手段である色光センサー６０で計測する。
【０１１０】
色光センサー６０で計測された色光情報を示す視環境情報をプロジェクタ２０に入力し、演算処理後に任意のガンマ値および色温度を得るＲＧＢの各入出力用プロファイルを作成する。また、理想的なガンマ値および色温度は、あらかじめ内部データとしてデフォルト値を持たせておくこともできる。
【０１１１】
そして、実際のプレゼンテーション環境において、プロジェクタ２０からスクリーン１０へ向け白色画像を投写し、白色画像の表示された画像表示領域１２の色光情報を色光センサー６０で計測する。
【０１１２】
色光センサー６０で計測された色光情報を示す視環境情報をプロジェクタ２０に入力し、演算処理後に任意のガンマ値および色温度を得るＲＧＢの各入出力用プロファイルを補正して再作成する。
【０１１３】
ＲＧＢの各入出力用プロファイルが補正された状態で実際のプレゼンテーション画像を投写表示する。
【０１１４】
次に、これらの前処理（ステップＳ２）〜プレゼンテーション（ステップＳ６）について、順に詳細に説明する。
【０１１５】
図６は、本実施形態の一例に係る前処理の流れを示すフローチャートである。
【０１１６】
前処理（ステップＳ２）では、まず、前処理用の基準白色画像のアナログ信号（Ｒ１信号、Ｇ１信号、Ｂ１信号）がＡ／Ｄ変換部１１０によりデジタル信号（Ｒ２信号、Ｇ２信号、Ｂ２信号）に変換される（ステップＳ１２）。
【０１１７】
そして、色信号変換部１６０により、当該デジタル信号がＸＹＺ値（Ｘ１、Ｙ１、Ｚ１）に変換され、カラーマネジメント部１５０に出力される（ステップＳ１４）。
【０１１８】
カラーマネジメント部１５０内の色光情報処理部１４０は、当該ＸＹＺ値（Ｘ１、Ｙ１、Ｚ１）に基づき、色空間（Ｌａｂ空間）を生成する（ステップＳ１６）。そして、色光情報処理部１４０は、当該色空間内における基準白色の座標値を演算して求める（ステップＳ１８）。
【０１１９】
上述したように、色光センサー６０は、白色画像の表示された画像表示領域１２の色光情報であるＸＹＺ値（Ｘ３、Ｙ３、Ｚ３）を計測し、その計測結果を含む視環境情報（Ｘ３、Ｙ３、Ｚ３）をプロジェクタ２０に送信する。
【０１２０】
また、色光情報処理部１４０は、色信号変換部１６０から入力されたＸＹＺ値（Ｘ１、Ｙ１、Ｚ１）を、色光センサー６０の計測値に基づき、視環境を反映したＸＹＺ値（Ｘ２、Ｙ２、Ｚ２）に変換する。
【０１２１】
なお、より具体的には、白色画像は所定の階調単位ごとに投写表示され、色光センサー６０は、当該階調単位ごとに白色画像のＸＹＺ値（Ｘ３、Ｙ３、Ｚ３）を計測し、色光情報処理部１４０は、各階調ごとの白色画像のＸＹＺ値（Ｘ１、Ｙ１、Ｚ１）に基づき、色空間（Ｌａｂ空間）を生成する。
【０１２２】
そして、色信号逆変換部１７０は、色光情報処理部１４０からのＸＹＺ値（Ｘ２、Ｙ２、Ｚ２）を、上述した色信号変換部１６０のマトリクスの逆マトリクスを用いてＲＧＢの各デジタル信号（Ｒ５信号、Ｇ５信号、Ｂ５信号）にマトリクス逆変換を行う（ステップＳ２０）。
【０１２３】
一方、プロファイル管理部１３０は、色光センサー６０の計測値に基づき、プロジェクタ２０のＲＧＢ信号の各入出力用プロファイルを作成する（ステップＳ２２）。これにより、基準環境での各入出力用プロファイルが作成されることになる。
【０１２４】
プロジェクタ色変換部１２０は、この作成された入出力用プロファイルに基づき、色信号逆変換部１７０からのＲＧＢの各デジタル信号（Ｒ５信号、Ｇ５信号、Ｂ５信号）を、プロジェクタ出力のＲＧＢデジタル信号（Ｒ３信号、Ｇ３信号、Ｂ３信号）に変換する（ステップＳ２４）。
【０１２５】
プロジェクタ色変換部１２０から出力されたプロジェクタ出力用のＲＧＢデジタル信号は、Ｄ／Ａ変換部１８０によってＲＧＢアナログ信号（Ｒ４信号、Ｇ４信号、Ｂ４信号）に変換される（ステップＳ２６）。
【０１２６】
そして、Ｌ／Ｖ駆動部１９０によって当該ＲＧＢアナログ信号に基づき液晶ライトバルブが駆動され（ステップＳ２８）、白色画像が投写表示される（ステップＳ３０）。
【０１２７】
このように、前処理（ステップＳ２）において、色空間、基準環境での色空間における座標値、プロジェクタ２０のＲＧＢ信号の各入出力用プロファイル等が作成される。
【０１２８】
次に、キャリブレーション（ステップＳ４）について説明する。
【０１２９】
図７は、本実施の形態の一例に係るキャリブレーションの流れを示すフローチャートである。
【０１３０】
実際のプレゼンテーションを行う場所で、プレゼンテーション実行前にキャリブレーションを行う。
【０１３１】
キャリブレーション（ステップＳ４）では、まず、実際のプレゼンテーションを行う場所の視環境を把握するため、基準環境で用いた白色画像をプロジェクタ２０からスクリーン１０に投写表示し、色光センサー６０により白色画像の表示された画像表示領域１２の色光情報を計測する（ステップＳ３２）。
【０１３２】
この色光情報は、ＸＹＺ値として表されているため、色光情報処理部１４０は、一般的に用いられる演算式によってＸＹＺ値をＬａｂ値（Ｌａｂ空間）に変換する（ステップＳ３４）。
【０１３３】
そして、色光情報処理部１４０は、色光センサー６０の計測値に基づき、色空間（Ｌａｂ空間）内の座標値を、演算して求める（ステップＳ３６）。
【０１３４】
そして、色光情報処理部１４０は、ステップＳ１８で求めた基準環境での座標値と、実際の視環境での座標値とに基づき、補色対となる座標値を演算して求める（ステップＳ３８）。
【０１３５】
この際の補色対となる座標値を求める手法としては、例えば、色空間における実際のプレゼンテーション環境での白色値の座標値の座標位置を示す束縛ベクトルの逆ベクトルを求めて求める手法を採用できる。
【０１３６】
図９は、Ｌａｂ空間における逆ベクトルの概念を示す模式図である。
【０１３７】
図９に示すように、Ｌａｂ空間は、縦軸をＬ（明るさ）とし、Ｌ軸に沿って複数のａ＊ｂ＊平面が存在する。所定のａ＊ｂ＊平面において、例えば、実際のプレゼンテーション環境での白色値の座標値が（ａ１＊、ｂ１＊）であった場合を想定する。
【０１３８】
この場合、座標値（ａ１＊、ｂ１＊）は、当該ａ＊ｂ＊平面の原点、すなわち、当該ａ＊ｂ＊平面とＬ軸とが交わる点における束縛ベクトルとして捉えることができる。なお、ここで、ベクトルという用語は、大きさと向きを持つベクトルの意味として用いている。
【０１３９】
当該束縛ベクトルの逆ベクトルを求めることにより、座標値（ａ１＊、ｂ１＊）と補色対となる座標値（−ａ１＊、−ｂ１＊）が求められる。
【０１４０】
すなわち、基準環境では、白色はＬ軸上の点になるが、実際の環境では、Ｌ軸上の原点から（ａ１＊、ｂ１＊）だけずれている。
【０１４１】
したがって、プロファイル管理部１３０は、この逆ベクトル分、色の補正を行うことにより、実際の環境で計測された白色の座標値がＬ軸上に位置することになり、実際の環境においても基準環境での色が再現できることになる。
【０１４２】
さらに、色光情報処理部１４０は、この補色対となる座標値に基づき、ＸＹＺ値（Ｘ１、Ｙ１、Ｚ１）の補正を行ったＸＹＺ値（Ｘ２、Ｙ２、Ｚ２）を出力する。
【０１４３】
色信号逆変換部１７０は、色光情報処理部１４０からのＸＹＺ値（Ｘ２、Ｙ２、Ｚ２）を、ＲＧＢの各デジタル信号（Ｒ５信号、Ｇ５信号、Ｂ５信号）にマトリクス逆変換を行う（ステップＳ４０）。
【０１４４】
また、プロファイル管理部１３０は、補色対の座標値に基づき、作成済みのＲＧＢ信号の各入出力用プロファイルを再作成する（ステップＳ４２）。
【０１４５】
上述したように、実際には、Ｌ軸に存在する複数のａ＊ｂ＊平面ごと、すなわち、例えば、１６階調や３２階調といった所定の階調単位ごとに色の補正を行う。
【０１４６】
各入出力用プロファイルは実際にはガンマ補正に用いられる。
【０１４７】
図１０は、ＲＧＢ入出力特性における入力と出力との関係を示す図である。図１０（Ａ）に示すように、各ＲＧＢ信号は、電圧、すなわち、入力（Ｖ）の値が大きいほど、明るさ、すなわち、出力（ｃｄ／ｍ２）が大きくなる。
【０１４８】
また、図１０（Ａ）は理想光に関するＲＧＢ入出力特性を示している。したがって、色光センサー６０による色光情報によって、プロジェクタ２０は、環境光やスクリーン１０等の影響がない理想的な環境下では黒点（●）のないＲＧＢ入出力特性によって理想的な白色を得ることができる。
【０１４９】
しかし、実際にはプロジェクタ２０の色光情報は環境光やスクリーン１０等の影響を受けることが多い。図１０（Ａ）に示す例では、プロジェクタ２０の白色補正がない場合は、スクリーン１０上ではＲとＧの影響が強い色再現がされている。
【０１５０】
このような状態では、プロジェクタ２０から出力される理想的な白色光もスクリーン１０上では、白色は黄色がかったままで色再現される。そこで、プロジェクタ２０の色光情報に含まれる環境光やスクリーン１０等の影響を補正するためには、ＲＧＢの３つの入出力信号のうちＲとＧの入出力信号を黒点の位置で示すように、その補正量に応じて出力を低下させることにより黄色がかった白色を、プロジェクタ２０から出力される理想的な白色光に補正することができる。
【０１５１】
図１０(Ｂ)は、図１０（Ａ）の黒点をそのまま入力の最大値の軸（最も右の点線で示す線）までシフトさせてＲ曲線、Ｇ曲線を再作成したものを示している。なお、図１０(Ｂ)のＲＧＢの各階調における補正後の入出力信号特性のＲ曲線、Ｇ曲線、Ｂ曲線は、以下の式（１）〜（３）によって求められる。また、その補正係数は式（４）〜（６）によって求められる。
【０１５２】
Ｒ信号(bit)＝ＫＲ×補正前入力信号・・・・・・（１）
Ｇ信号(bit)＝ＫＧ×補正前入力信号・・・・・・（２）
Ｂ信号(bit)＝ＫＢ×補正前入力信号・・・・・・（３）
ＫＲ＝補正後のＲ最大入力値／２５５・・・・・・（４）
ＫＧ＝補正後のＧ最大入力値／２５５・・・・・・（５）
ＫＢ＝補正後のＢ最大入力値／２５５・・・・・・（６）
また、図１２は、ＲＧＢ入出力特性の補正前と補正後の状態を示す模式図である。
【０１５３】
補正前の色三角形ｒｇｂでは、Ｋ（０、０、０）、すなわち、黒を通過する明るさの軸Ｌと、色三角形ｒｇｂとが交わる点がＷ（１、１、１）、すなわち、白となっている。
【０１５４】
上述した逆ベクトル分の補正を当該色三角形ｒｇｂ全体に対して行うことにより、色三角形ｒｇｂは、例えば、色三角形ｒ’ｇ’ｂ’のようになる。色三角形ｒ’ｇ’ｂ’では、黒を通過する明るさの軸Ｌと、色三角形ｒ’ｇ’ｂ’とが交わる点である白は、Ｗ’（０．９、０．９、１）となっており、色三角形ｒｇｂに対して若干Ｋ（０、０、０）に近づいた形となっている。
【０１５５】
以上のように、キャリブレーション（ステップＳ４）によって実際の適用環境での入出力用プロファイルが作成され、適切なガンマ補正が行われる。
【０１５６】
次に、このようにしてキャリブレーションが行われた後の実際のプレゼンテーション（ステップＳ６）について説明する。
【０１５７】
図８は、本実施形態の一例に係るプレゼンテーションの流れを示すフローチャートである。
【０１５８】
キャリブレーションが行われた段階で、視環境に応じたＲＧＢの各入出力用プロファイルが作成されている。この状態で通常のプレゼンテーション画像を投写表示する。
【０１５９】
プレゼンテーション（ステップＳ６）では、まず、プレゼンテーション画像のアナログ信号（Ｒ１信号、Ｇ１信号、Ｂ１信号）がＡ／Ｄ変換部１１０によりデジタル信号（Ｒ６信号、Ｇ６信号、Ｂ６信号）に変換される（ステップＳ５２）。
【０１６０】
このデジタル信号（Ｒ６信号、Ｇ６信号、Ｂ６信号）は、プロジェクタ色変換部１２０により、調整済みのＲＧＢの各入出力用プロファイルに基づき、プロジェクタ２０用のデジタルＲＧＢ信号（Ｒ３信号、Ｇ３信号、Ｂ３信号）に変換される（ステップＳ５４）。
【０１６１】
プロジェクタ色変換部１２０から出力されたプロジェクタ出力用のＲＧＢデジタル信号は、Ｄ／Ａ変換部１８０によってＲＧＢアナログ信号（Ｒ４信号、Ｇ４信号、Ｂ４信号）に変換される（ステップＳ５８）。
【０１６２】
そして、Ｌ／Ｖ駆動部１９０によって当該ＲＧＢアナログ信号に基づき液晶ライトバルブが駆動され（ステップＳ６０）、プレゼンテーション画像が投写表示される（ステップＳ６２）。
【０１６３】
以上のように、本実施の形態によれば、視環境を反映して入出力用プロファイルを補正する。これにより、プロジェクタ２０の適用される環境によらずにほぼ同一の画像を再現することができる。
【０１６４】
また、この補正の際に補色対を用いることにより、容易かつ迅速に補正を行うことができる。特に、補色対となる座標値に基づき入出力特性データを各階調ごとに補正することにより、理想的な色光に影響を与える環境光の影響を除去し、理想的なホワイトバランスを得ることができる。
【０１６５】
（ハードウェアの説明）
次に、上述したプロジェクタ２０のハードウェア構成について説明する。
【０１６６】
図１３は、本実施の形態の一例に係るプロジェクタ２０のハードウェア構成の説明図である。
【０１６７】
同図に示す装置では、ＣＰＵ１０００、ＲＯＭ１００２、ＲＡＭ１００４、情報記憶媒体１００６、画像生成ＩＣ１０１０、Ｉ／Ｏ（入出力ポート）１０２０−１、１０２０−２が、システムバス１０１６により相互にデータ送受信可能に接続されている。そして、Ｉ／Ｏ１０２０−１、１０２０−２を介して、色光センサー６０、ＰＣ等の機器に接続されている。
【０１６８】
情報記憶媒体１００６は、プログラムや、画像データ等が格納されるものである。
【０１６９】
情報記憶媒体１００６に格納されるプログラム、ＲＯＭ１００２に格納されるプログラム等に従って、ＣＰＵ１０００は装置全体の制御や各種データ処理を行う。ＲＡＭ１００４はこのＣＰＵ１０００の作業領域等として用いられる記憶手段であり、情報記憶媒体１００６やＲＯＭ１００２の所与の内容や、ＣＰＵ１０００の演算結果等が格納される。また、本実施形態を実現するための論理的な構成を持つデータ構造は、ＲＡＭ１００４または情報記憶媒体１００６上に構築されることになる。
【０１７０】
そして図１〜図１２で説明した各種の処理は、これらの処理を行うためのプログラムを格納した情報記憶媒体１００６と、当該プログラムに従って動作するＣＰＵ１０００、画像生成ＩＣ１０１０等によって実現される。なお画像生成ＩＣ１０１０等で行われる処理は、ＣＰＵ１０００や汎用のＤＳＰ等によりソフトウェア的に行ってもよい。
【０１７１】
また、情報記憶媒体としては、例えば、ＣＤ−ＲＯＭ、ＤＶＤ−ＲＯＭ、ＲＯＭ、ＲＡＭ等を適用でき、その情報の読み取り方式は接触方式であっても、非接触方式であってもよい。
【０１７２】
また、情報記憶媒体１００６に代えて、上述した各機能を実現するためのプログラム等を伝送路を介してホスト装置等からダウンロードすることによって上述した各機能を実現することも可能である。すなわち、上述した各機能を実現するための情報は、搬送波に具現化されるものであってもよい。
【０１７３】
（変形例）
なお、本発明の適用は上述した実施例に限定されず、各種の変形例に対して適用可能である。
【０１７４】
図９を用いて説明した例では逆ベクトルを用いて補色対となる座標値を求めた例について説明したが、逆ベクトル以外の手法を用いることも可能である。例えば、外分点を用いて補色対となる座標値を求めることも可能である。
【０１７５】
図１１は、Ｌａｂ空間における外分点の概念を示す模式図である。
【０１７６】
図９の場合と同様に、所定のａ＊ｂ＊平面において、例えば、実際のプレゼンテーション環境での白色値の座標値がＡ１（ａ１、ｂ１）であり、当該ａ＊ｂ＊平面でのＬ軸との交点の座標値がＢ１（ａ２、ｂ２）であり、求めるべき補色対の座標値がＰ１（ａ３、ｂ３）であると仮定する。Ａ１からＰ１までの距離をｒ、Ａ１からＢ１までの距離をｓとすると、ｒ＝２ｓであり、Ａ１、Ｂ１の各座標値は既知であるため、距離ｓも求めることができる。
【０１７７】
この場合、外分点の手法を用いれば、Ｐ１（ａ３、ｂ３）は以下の式（７）、（８）で求められる。
【０１７８】
ａ３＝（−ｓ×ａ１＋２ｓ×ａ２）／（２ｓ−ｓ）＝−ａ１＋２×ａ２・・・・・・（７）
ｂ３＝（−ｓ×ｂ１＋２ｓ×ｂ２）／（２ｓ−ｓ）＝−ｂ１＋２×ｂ２・・・・・・（８）
以上のように、外分点を用いて補色対となる座標値を求めることも可能である。
【０１７９】
また、上述したプロジェクタのような投写手段以外にも表示手段で画像表示を行ってプレゼンテーション等を行う場合にも本発明を適用できる。このような表示手段としては、例えば、液晶プロジェクタのほか、ＣＲＴ（Ｃａｔｈｏｄｅ  Ｒａｙ  Ｔｕｂｅ）、ＰＤＰ（Ｐｌａｓｍａ  Ｄｉｓｐｌａｙ  Ｐａｎｅｌ）、ＦＥＤ（Ｆｉｅｌｄ  Ｅｍｉｓｓｉｏｎ  Ｄｉｓｐｌａｙ）、ＥＬ（Ｅｌｅｃｔｒｏ  Ｌｕｍｉｎｅｓｃｅｎｃｅ）、直視型液晶表示装置等のディスプレイ装置等が該当する。
【０１８０】
なお、上述したプロジェクタ画像処理部１００の機能は、単体の画像表示装置（例えば、プロジェクタ２０）で実現してもよいし、複数の処理装置で分散して（例えば、プロジェクタ２０とＰＣとで分散処理）実現してもよい。
【０１８１】
また、視環境を把握する手段としては、ＸＹＺ値を計測する色光センサー６０に限られず、各種の視環境把握手段を適用できる。例えば、視環境把握手段として、例えば、被表示領域の輝度値を計測する輝度センサー、被表示領域のＲＧＢ値を計測する色光センサー、被表示領域の色度値を計測する色度センサー等のうちの１つまたはこれらの組み合わせを適用できる。
【０１８２】
また、ここで、視環境把握手段が把握する視環境としては、例えば、環境光（照明光、自然光等）や、被表示対象（ディスプレイ、壁面、スクリーン等）等が該当する。なお、上述したスクリーン１０は、反射型のものであったが、透過型のものであってもよい。スクリーンが透過型の場合、色光センサーとしては、スクリーンを直接走査するセンサーを適用することが好ましい。
【０１８３】
また、上述した実施例では、色空間として、Ｌａｂ空間を適用した例について説明したが、Ｌ＊ｕ＊ｖ＊空間、Ｌ＊Ｃ＊ｈ空間、Ｕ＊Ｖ＊Ｗ＊空間、ｘｙＹ（Ｙｘｙともいう。）空間等も適用できる。
【０１８４】
さらに、上述した実施例では、前面投写型のプロジェクタを適用した例について説明したが、背面投写型のプロジェクタを適用することも可能である。
【図面の簡単な説明】
【図１】本実施形態の一例に係るレーザーポインタを用いたプレゼンテーションシステムの概略説明図である。
【図２】モバイル型プロジェクタを用いたプレゼンテーションシステムの概略説明図である。
【図３】  従来のプロジェクタ内のプロジェクタ画像処理部の機能ブロック図である。
【図４】  本実施形態の一例に係るプロジェクタ内のプロジェクタ画像処理部の機能ブロック図である。
【図５】本実施形態の一例に係るプレゼンテーション全体の流れを示すフローチャートである。
【図６】本実施形態の一例に係る前処理の流れを示すフローチャートである。
【図７】本実施の形態の一例に係るキャリブレーションの流れを示すフローチャートである。
【図８】本実施形態の一例に係るプレゼンテーションの流れを示すフローチャートである。
【図９】Ｌａｂ空間における逆ベクトルの概念を示す模式図である。
【図１０】ＲＧＢ入出力特性における入力と出力との関係を示す図であり、図１０（Ａ）は理想光に関するＲＧＢ入出力特性を示す図であり、図１０（Ｂ）は図１０（Ａ）に示すＲＧＢ入出力特性の補正後の図である。
【図１１】Ｌａｂ空間における外分点の概念を示す模式図である。
【図１２】ＲＧＢ入出力特性の補正前と補正後の状態を示す模式図である。
【図１３】本実施の形態の一例に係るプロジェクタのハードウェア構成の説明図である。
【符号の説明】
２０  プロジェクタ
５０  レーザーポインタ
６０  色光センサー
８０  環境光
１２０  プロジェクタ色変換部
１３０  プロファイル管理部
１４０  色光情報処理部
１５０  カラーマネジメント部
１６０  色信号変換部
１７０  色信号逆変換部
１００６  情報記憶媒体
【図１】
0003707350.tif 000002
【図２】
0003707350.tif 000003
【図３】
0003707350.tif 000004
【図４】
0003707350.tif 000005
【図５】
0003707350.tif 000006
【図６】
0003707350.tif 000007
【図７】
0003707350.tif 000008
【図８】
0003707350.tif 000009
【図９】
0003707350.tif 000010
【図１０】
0003707350.tif 000011
【図１１】
0003707350.tif 000012
【図１２】
0003707350.tif 000013
【図１３】
0003707350.tif 000014